(57)【要約】【課題】オペレータの負担を軽減する。【解決手段】階段昇降台車１０は、走行手段としてのクローラ２１と、荷台２２と、クローラを駆動する走行駆動部２３と、荷台の角度を変更する角度変更部２４と、オペレータによって把持されるハンドル３０と、走行駆動部と角度変更部を操作する操作部（コントローラ３１）と、荷台の傾斜角度を検知する荷台傾斜計４２と、荷台傾斜計で検知された荷台の傾斜角度に基づいて、オペレータに警報を発報する警報装置（角度表示警報装置３２）と、を備えている。警報装置は、荷台の傾斜角度をθとし、傾斜角度の下限値をＴ１とし、傾斜角度の上限値をＴ２とする場合で、かつ、Ｔ１＜θ＜Ｔ２の条件を満たさないときに、警報を発報する。【選択図】図１
2020001543.tif 000002
【特許請求の範囲】
【請求項１】
走行手段としてのクローラと、
荷台と、
前記クローラを駆動する走行駆動部と、
前記荷台の角度を変更する角度変更部と、
オペレータによって把持されるハンドルと、
前記走行駆動部と前記角度変更部を操作する操作部と、
前記荷台の傾斜角度を検知する荷台傾斜計と、
前記荷台傾斜計で検知された前記荷台の傾斜角度に基づいて、前記オペレータに警報を発報する警報装置と、を備え、
前記警報装置は、前記荷台の傾斜角度をθとし、傾斜角度の下限値をＴ１とし、傾斜角度の上限値をＴ２とする場合で、かつ、Ｔ１＜θ＜Ｔ２の条件を満たさないときに、前記警報を発報する
ことを特徴とする階段昇降台車。
【請求項２】
請求項１に記載の階段昇降台車において、
前記警報装置は、上側フロアの床面又は下側フロアの床面を目的地とし、少なくとも当該階段昇降台車が前記目的地に到達したことが検知されるまで、前記条件を満たすか否かを繰り返し判定する
ことを特徴とする階段昇降台車。
【請求項３】
請求項２に記載の階段昇降台車において、
前記警報装置は、当該階段昇降台車が前記目的地に到達したときに、前記オペレータに到達通知を発報する
ことを特徴とする階段昇降台車。
【請求項４】
請求項３に記載の階段昇降台車において、
前記警報装置は、前記警報のパターンとは異なるパターンで前記到達通知を発報する
ことを特徴とする階段昇降台車。
【請求項５】
請求項２乃至請求項４のいずれか一項に記載の階段昇降台車において、
前記警報装置は、水平方向に対する前記クローラの角度に基づいて、当該階段昇降台車が前記目的地に到達したか否かを判定する
ことを特徴とする階段昇降台車。
【請求項６】
請求項１乃至請求項５のいずれか一項に記載の階段昇降台車において、
前記警報装置は、スピーカを有しており、前記警報として警報音を前記スピーカで発報する
ことを特徴とする階段昇降台車。
【請求項７】
請求項１乃至請求項６のいずれか一項に記載の階段昇降台車において、
前記警報装置は、ディスプレイを有しており、前記警報として警報画面を前記ディスプレイに表示する
ことを特徴とする階段昇降台車。
【発明の詳細な説明】
【技術分野】
【０００１】
本発明は、階段昇降台車に関する。
【背景技術】
【０００２】
従来から、荷物を荷台に搭載した状態で階段を昇降する装置として階段昇降台車が普及している。この種の階段昇降台車は、走行手段としてのクローラと、荷物を搭載する荷台と、オペレータが把持するハンドルと、を有している。階段昇降台車のオペレータは、ハンドルを把持しながら操作部を操作してクローラを走行させることで、階段昇降台車に階段を昇降させる。その際に、階段昇降台車は、荷台の角度を変更する（例えば、特許文献１参照）。なお、特許文献１に記載された装置は、車いす用のものであるが、階段昇降台車は、車いすに限らず、様々な物品を運搬することができる。
【先行技術文献】
【特許文献】
【０００３】
【特許文献１】特開平１０−１２９５４１号公報
【発明の概要】
【発明が解決しようとする課題】
【０００４】
従来の階段昇降台車は、以下に説明するように、多大な負担をオペレータに強いる、という課題があった。
【０００５】
例えば、階段昇降台車は、比較的重たい荷物を荷台に搭載した状態で階段を昇降する。その際に、階段昇降台車は、特に、荷物の重心が前後方向に移動し易い場所で、前後方向にバランス（姿勢）を崩し易い。そのような場所としては、例えば、上側フロアの床面付近や、下側フロアの床面付近等がある。
【０００６】
例えば、階段を昇る場合において、オペレータが、階段昇降台車よりも階段の上段側に立ち、階段の上段側から階段昇降台車を操作するものとする。この場合において、階段昇降台車が下側フロアから階段を昇り始めるときに、階段昇降台車は水平な状態から階段の角度に傾き始める。このとき、荷物の重心が階段下側方向（進行方向の逆側）に移動する。そのため、階段昇降台車は、階段下側方向（進行方向の逆側）にバランスを崩し易くなる。そして、階段昇降台車が階段を昇り続け、上側フロアの床面（階段の最上段）に到達したときに、クローラの進行方向側の先端部が階段に当接しなくなる。そのため、階段昇降台車は、階段上側方向（進行方向側）に傾くように動作する。このとき、荷物の重心が階段上側方向（進行方向側）に移動する。そのため、階段昇降台車は、階段上側方向（進行方向側）にバランスを崩し易くなる。
【０００７】
また、例えば、階段を降る場合において、オペレータが、階段昇降台車よりも階段の上段側に立ち、階段の上段側から階段昇降台車を操作するものとする。この場合において、階段昇降台車が上側フロアの床面（階段の最上段）から階段を降り始めるときに、クローラの進行方向側の先端部が階段に当接しなくなる。そのため、階段昇降台車は、階段下側方向（進行方向）に傾くように動作する。このとき、荷物の重心が階段下側方向（進行方向）に移動する。そのため、階段昇降台車は、階段下側方向（進行方向）にバランスを崩し易くなる。そして、階段昇降台車が階段を降り続け、下側フロアの床面に到達したときに、クローラの進行方向側の先端部が下側フロアの床面に突き当たる。そのため、階段昇降台車は、階段上側方向（進行方向の逆側）に傾くように動作する。このとき、荷物の重心が階段上側方向（進行方向の逆側）に移動する。そのため、階段昇降台車は、階段上側方向（進行方向の逆側）にバランスを崩し易くなる。
【０００８】
そこで、オペレータは、階段昇降台車のバランスが崩れないように、階段昇降台車の昇降操作と荷台の傾斜角度の変更操作を慎重に行っていた。しかしながら、従来の階段昇降台車は、その際に、荷台の傾斜角度が適切であるのか否かをオペレータに認識させる手段を有していなかった。そのため、オペレータは、昇降動作の開始から終了までの全期間を通して、荷台の傾斜角度を自身の感覚で推し量りつつ、階段昇降台車の昇降操作と荷台の傾斜角度の変更操作を行っていた。このような従来の階段昇降台車は、階段の昇降時に多大な負担をオペレータに強いていた。
【０００９】
本発明は、前記した課題を解決するためになされたものであり、オペレータの負担を軽減する階段昇降台車を提供することを主な目的とする。
【課題を解決するための手段】
【００１０】
前記目的を達成するため、本発明は、階段昇降台車であって、走行手段としてのクローラと、荷台と、前記クローラを駆動する走行駆動部と、前記荷台の角度を変更する角度変更部と、オペレータによって把持されるハンドルと、前記走行駆動部と前記角度変更部を操作する操作部と、前記荷台の傾斜角度を検知する荷台傾斜計と、前記荷台傾斜計で検知された前記荷台の傾斜角度に基づいて、前記オペレータに警報を発報する警報装置と、を備え、前記警報装置は、前記荷台の傾斜角度をθとし、傾斜角度の下限値をＴ１とし、傾斜角度の上限値をＴ２とする場合で、かつ、Ｔ１＜θ＜Ｔ２の条件を満たさないときに、前記警報を発報する構成とする。
その他の手段は、後記する。
【発明の効果】
【００１１】
本発明によれば、オペレータの負担を軽減することができる。
【図面の簡単な説明】
【００１２】
【図１】実施形態に係る階段昇降台車の斜視図である。
【図２】実施形態に係る階段昇降台車の正面図である。
【図３】実施形態に係る階段昇降台車の側面図である。
【図４】実施形態に係る階段昇降台車の内部ブロック図である。
【図５】実施形態に係る階段昇降台車の動作説明図である。
【図６】実施形態に係る階段昇降台車に設けられた角度表示警報装置の動作を示すフローチャートである。
【図７】実施形態に係る階段昇降台車に設けられた角度表示警報装置の表示例の説明図である。
【図８】比較例の階段昇降台車での操作を示すフローチャートである。
【図９】変形例に係る階段昇降台車の斜視図である。
【発明を実施するための形態】
【００１３】
以下、図面を参照して、本発明の実施の形態（以下、「本実施形態」と称する）について詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１４】
［実施形態］
本実施形態は、階段の昇降時において、荷台の傾斜角度が適切であるのか否かをオペレータに認識させることが可能な階段昇降台車を提供することを意図している。
【００１５】
＜階段昇降台車の構成＞
以下、図１乃至図４を参照して、本実施形態に係る階段昇降台車の構成について説明する。図１は、本実施形態に係る階段昇降台車１０の構成を示す図である。図２は、階段昇降台車１０の正面図である。図３は、階段昇降台車１０の側面図である。図４は、階段昇降台車１０の内部ブロック図である。なお、図１乃至図３に示す「右」、「左」、「上」、及び、「下」の向きは、階段昇降台車１０を操作するオペレータから見た方向を示している。また、階段昇降台車１０の向きは、後記するハンドル３０に近い側が階段上側方向となり、後記するハンドル３０から遠い側が階段下側方向となる。階段上側方向は、階段を昇る時に前方向となり、階段を降る時に後方向となる。一方、階段下側方向は、階段を昇る時に後方向となり、階段を降る時に前方向となる。
【００１６】
図１乃至図３に示すように、階段昇降台車１０は、台車本体２０と、クローラ２１（走行手段）と、荷台２２と、走行駆動部２３と、角度変更部２４と、本体制御部２５と、ハンドル３０と、コントローラ３１（操作部）と、角度表示警報装置３２（警報装置）と、電源部４０と、本体傾斜計４１と、荷台傾斜計４２と、を備えている。
【００１７】
台車本体２０は、クローラ２１や、荷台２２、走行駆動部２３、角度変更部２４等が組み込まれた主体部分である。
【００１８】
クローラ２１は、階段昇降台車１０の走行手段として機能する無限軌道である。クローラ２１は、台車本体２０の両横部分に配置されている。本実施形態では、クローラ２１は、ハンドル３０よりも後方部分が斜め上方向に屈曲した構造になっている。
【００１９】
荷台２２は、荷物が搭載される台である。荷台２２は、台車本体２０の上側に配置されている。荷台２２は、角度を変更することができる。
【００２０】
走行駆動部２３は、クローラ２１を駆動する駆動部である。
角度変更部２４は、荷台２２の角度を変更する駆動部である。
【００２１】
本体制御部２５は、走行駆動部２３と本体制御部２５の動作を制御する制御部である。本体制御部２５は、コントローラ３１によるオペレータの操作に応じて、走行駆動部２３の動作を制御する。また、本体制御部２５は、階段の昇降時に、台車本体２０の前後方向の傾斜角度に合わせて、水平方向に対する荷台２２の傾斜角度が所望の範囲内の角度になるように、角度変更部２４の動作を自動的に制御する。ただし、本体制御部２５は、コントローラ３１によるオペレータの操作に応じて、角度変更部２４の動作を制御することもできる。本実施形態では、本体制御部２５は、オペレータの腰付近に対向配置されるように、ハンドル３０の立設している部分（支柱）に取り付けられているものとして説明する。
【００２２】
ハンドル３０は、オペレータによって把持される部位である。ハンドル３０は、台車本体２０から立設するように、また、その上端部が横方向に延在するように、配置されている。
【００２３】
コントローラ３１は、走行駆動部２３と角度変更部２４を操作する操作部である。コントローラ３１は、ハンドル３０の上端部に取り付けられている。本実施形態では、コントローラ３１は、ジョイスティック３１ａ（図１及び図３参照）を有しており、ジョイスティック３１ａで走行駆動部２３と角度変更部２４を操作することができる。
【００２４】
角度表示警報装置３２は、水平方向に対する荷台２２の傾斜角度を表示したり、荷台２２の傾斜角度に基づいて、オペレータに警報を発報したりする装置である。ここでは、角度表示警報装置３２がタブレット型のパーソナルコンピュータによって構成されているものとして説明する。本実施形態では、角度表示警報装置３２は、ハンドル３０の上端部において、コントローラ３１の直下の位置に取り付けられているものとして説明する。
【００２５】
角度表示警報装置３２は、好ましくは、ハンドル３０との取付部分が軸支されていて、自由端側を上下方向に回動させることが可能な構造になっているとよい。この構造の場合に、オペレータは、角度表示警報装置３２のディスプレイ３３ａ（図１参照）が見易くなるように、角度表示警報装置３２の上下方向の向きを調整することができる。そのため、角度表示警報装置３２は、ディスプレイ３３ａ（図１参照）の視認性を向上させることができる。
【００２６】
また、角度表示警報装置３２は、好ましくは、横方向に摺動可能な構造になっているとよい。この構造の場合に、オペレータは、状況に応じて、角度表示警報装置３２の位置を横方向にずらすことができる。そのため、角度表示警報装置３２は、ディスプレイ３３ａ（図１参照）の視認性を向上させることができる。
【００２７】
電源部４０は、走行駆動部２３や、角度変更部２４、本体制御部２５、コントローラ３１、角度表示警報装置３２に電力を供給するバッテリーである。本実施形態では、電源部４０は、オペレータの腰付近に対向配置されるように、ハンドル３０の立設している部分（支柱）に取り付けられているものとして説明する。
【００２８】
本体傾斜計４１は、台車本体２０の前後方向の傾斜角度（水平方向に対するクローラ２１の角度）を検知する傾斜計である。本体傾斜計４１は、例えば、図２及び図３に示す位置に配置されている。ただし、本体傾斜計４１は、図２に示す位置とは逆側の位置に配置されるようにしてもよい。つまり、図２に示す例では、本体傾斜計４１は、台車本体２０の左右方向の中央よりも左寄りの位置に配置されているが、右寄りの位置に配置されるようにしてもよい。
【００２９】
荷台傾斜計４２は、荷台２２の傾斜角度を検知する傾斜計である。荷台傾斜計４２は、好ましくは、荷台２２の前後方向の傾斜角度と荷台２２の左右方向の傾斜角度とを検知することができるように、２軸傾斜計であるとよい。本実施形態では、荷台傾斜計４２は、オペレータの腰付近に対向配置されるように、ハンドル３０の立設している部分（支柱）に取り付けられているものとして説明する。
【００３０】
図１及び図４に示すように、角度表示警報装置３２は、ディスプレイ３３ａと、スピーカ３３ｂと、ブルートゥース（登録商標）等の無線通信手段３３ｃと、を有している。
【００３１】
本実施形態では、ディスプレイ３３ａは、荷台傾斜計４２で検知された荷台２２の傾斜角度を表示する傾斜角度表示手段として機能する。
また、本実施形態では、スピーカ３３ｂは、荷台傾斜計４２で検知された荷台２２の傾斜角度に基づいて、オペレータに警報音を発報する発報手段として機能する。
【００３２】
無線通信手段３３ｃは、他の電子装置との間で無線通信を行うことができる。例えば、オペレータが他の作業者と共同して荷物の運搬を行う場合に、無線通信手段３３ｃは、その作業者によって所持されたスマートフォン等のモバイル装置（図示せず）に、荷台２２の傾斜角度等の情報を送信することができる。その作業者は、モバイル装置で荷台２２の傾斜角度等をチェックすることで、階段昇降台車１０の操作に関連する好適なアドバイスをオペレータに与えることができる。
【００３３】
＜階段昇降台車と角度表示警報装置の動作＞
以下、図５乃至図７を参照して、階段昇降台車１０と、階段昇降台車１０に設けられた角度表示警報装置３２の動作について説明する。図５は、階段昇降台車１０の動作説明図である。図６は、階段昇降台車１０に設けられた角度表示警報装置３２の動作を示すフローチャートである。図７は、角度表示警報装置３２の表示例の説明図である。
【００３４】
図５に示すように、階段昇降台車１０は、比較的重たい荷物９９を荷台２２に搭載した状態で階段を昇降する。なお、図５は、階段を降る場合において、オペレータが、階段昇降台車１０よりも階段の上段側に立ち、階段の上段側から階段昇降台車１０を操作する例を示している。階段を昇る場合においても、オペレータは、階段昇降台車１０よりも階段の上段側に立ち、階段の上段側から階段昇降台車１０を操作する。階段昇降台車１０の動作は、階段を昇る場合も降る場合もほぼ同じである。
【００３５】
昇降時において、階段昇降台車１０は、荷物９９の重心が若干階段上側寄りの位置（ハンドル３０側の位置）になるように、角度変更部２４を駆動して荷台２２の傾斜角度θを調整し、その状態で階段を昇降する。しかしながら、昇降中において、荷台２２の傾斜角度θが小さ過ぎる場合に、階段昇降台車１０は、バランス（姿勢）を崩して、階段下側方向に傾くように動作する（白抜き矢印Ａ１０参照）。また、昇降中において、荷台２２の傾斜角度θが大き過ぎる場合に、階段昇降台車１０は、バランス（姿勢）を崩して、階段上側方向に傾くように動作する（白抜き矢印Ｂ１０参照）。したがって、どちらの場合も好ましくない。
【００３６】
階段昇降台車１０は、特に、荷物９９の重心が前後方向に移動し易い場所で、前後方向にバランスを崩し易い。そのような場所としては、例えば、上側フロアの床面付近や、下側フロアの床面付近等がある。
【００３７】
例えば、階段を昇る場合において、オペレータが、階段昇降台車１０よりも階段の上段側に立ち、階段の上段側から階段昇降台車１０を操作するものとする。この場合において、階段昇降台車１０が下側フロアから階段を昇り始めるときに、階段昇降台車１０は水平な状態から階段の角度に傾き始める。このとき、荷物９９の重心が階段下側方向（進行方向の逆側）に移動する。そのため、階段昇降台車１０は、階段下側方向（進行方向の逆側）にバランスを崩し易くなる。そして、階段昇降台車１０が階段を昇り続け、上側フロアの床面（階段の最上段）に到達したときに、クローラ２１の進行方向側の先端部が階段に当接しなくなる。そのため、階段昇降台車１０は、階段上側方向（進行方向側）に傾くように動作する。このとき、荷物９９の重心が階段上側方向（進行方向側）に移動する。そのため、階段昇降台車１０は、階段上側方向（進行方向側）にバランスを崩し易くなる。
【００３８】
また、例えば、階段を降る場合において、オペレータが、階段昇降台車１０よりも階段の上段側に立ち、階段の上段側から階段昇降台車１０を操作するものとする。この場合において、階段昇降台車１０が上側フロアの床面（階段の最上段）から階段を降り始めるときに、クローラ２１の進行方向側の先端部が階段に当接しなくなる。そのため、階段昇降台車１０は、階段下側方向（進行方向）に傾くように動作する。このとき、荷物９９の重心が階段下側方向（進行方向）に移動する。そのため、階段昇降台車１０は、階段下側方向（進行方向）にバランスを崩し易くなる。そして、階段昇降台車１０が階段を降り続け、下側フロアの床面に到達したときに、クローラ２１の進行方向側の先端部が下側フロアの床面に突き当たる。そのため、階段昇降台車１０は、階段上側方向（進行方向の逆側）に傾くように動作する。このとき、荷物９９の重心が階段上側方向（進行方向の逆側）に移動する。そのため、階段昇降台車１０は、階段上側方向（進行方向の逆側）にバランスを崩し易くなる。
【００３９】
そこで、オペレータは、階段昇降台車１０のバランスが崩れないように、コントローラ３１のジョイスティック３１ａ（図１及び図３参照）で階段昇降台車１０の昇降操作と荷台２２の傾斜角度の変更操作を行う。その際に、階段昇降台車１０の角度表示警報装置３２は、例えば、図６に示す動作を行う。
【００４０】
図６に示すように、階段昇降台車１０の角度表示警報装置３２は、昇降を開始すると、以下の式（１）の条件を満たしているか否かを判定する（ステップＳ１０５）。
Ｔ１＜θ＜Ｔ２    …（１）
ここで、「θ」は、荷台傾斜計４２で検知された荷台２２の傾斜角度を表している（図５参照）。
また、「Ｔ１」は、荷台２２の傾斜角度の下限値を表している。
また、「Ｔ２」は、荷台２２の傾斜角度の上限値を表している。
【００４１】
その際に、図７に示すように、角度表示警報装置３２は、好ましくは、オペレータに注意を促すための警報画面ＩＭ１１をディスプレイ３３ａに表示するとよい。図７に示す例では、警報画面ＩＭ１１は、荷台２２の傾斜角度θを表す棒線ＢＡと、ＯＫと表示された領域（以下、「ＯＫ領域」）と、その両横にＮＧと表示された領域（以下、「ＮＧ領域」）と、を含む構造になっている。
【００４２】
警報画面ＩＭ１１は、荷台２２の傾斜角度θに応じて棒線ＢＡを左右方向に振れさせることで、荷台２２の傾斜角度θが所望の範囲（前記した式（１）の条件を満たす範囲）内であるのか否かを示している。棒線ＢＡがＯＫ領域内に収まっている場合に、荷台２２の傾斜角度θは良好な状態になっている。一方、棒線ＢＡがＮＧ領域に入った場合に、荷台２２の傾斜角度θは不良な状態になる。例えば、図７に示す例において、荷台２２の傾斜角度θが前記した下限値Ｔ１を下回る場合に、棒線ＢＡは左側のＮＧ領域に入り、一方、荷台２２の傾斜角度θが前記した上限値Ｔ２を上回る場合に、棒線ＢＡは右側のＮＧ領域に入る。オペレータは、棒線ＢＡがＮＧ領域に入りそうな場合に、コントローラ３１のジョイスティック３１ａ（図１及び図３参照）で荷台２２の傾斜角度θの変更操作を行うとよい。
【００４３】
図６に戻り、ステップＳ１０５の判定で、前記式（１）の条件を満たしていないと判定された場合（“Ｎｏ”の場合）に、角度表示警報装置３２は、スピーカ３３ｂから警報音を発報する（ステップＳ１１０）。オペレータは、発報された警報音に応じて、コントローラ３１のジョイスティック３１ａ（図１及び図３参照）で荷台２２の傾斜角度θの変更操作を行う。ステップＳ１１０の後、処理は、ステップＳ１０５に戻る。
【００４４】
一方、ステップＳ１０５の判定で、前記式（１）の条件を満たしていると判定された場合（“Ｙｅｓ”の場合）に、角度表示警報装置３２は、目的地への到着が検知されたか否かを判定する（ステップＳ１１５）。ここで、階段を昇る場合では、目的地は、上側フロアの床面（階段の最上段）を意味する。また、階段を降る場合では、目的地は、下側フロアの床面を意味する。目的地に到着したか否かは、本体傾斜計４１で検知される台車本体２０の前後方向の傾斜角度（水平方向に対するクローラ２１の角度）に基づいて判定される。
【００４５】
ステップＳ１１５の判定で、目的地への到着が検知されていないと判定された場合（“Ｎｏ”の場合）に、処理は、ステップＳ１０５に戻る。一方、ステップＳ１１５の判定で、目的地への到着が検知されたと判定された場合（“Ｙｅｓ”の場合）に、角度表示警報装置３２は、スピーカ３３ｂから到着通知音を発報する（ステップＳ１２０）。これにより、一連のルーチンの処理を終了する。なお、オペレータは、発報された到着通知音に応じて、コントローラ３１のジョイスティック３１ａ（図１及び図３参照）で階段昇降台車１０の昇降操作と荷台２２の傾斜角度θの変更操作を行う。
【００４６】
係る動作において、角度表示警報装置３２は、上側フロアの床面（階段の最上段）又は下側フロアの床面を目的地とし、少なくとも階段昇降台車１０（例えば、クローラ２１の進行方向側の先端部）が目的地に到達したことが検知されるまで、前記式（１）の条件を満たすか否かを繰り返し判定する。
【００４７】
＜階段昇降台車の主な特徴＞
（１）階段昇降台車１０は、走行手段としてのクローラ２１と、荷台２２と、クローラを駆動する走行駆動部２３と、荷台２２の傾斜角度θを変更する角度変更部２４と、オペレータによって把持されるハンドル３０と、走行駆動部２３と角度変更部２４を操作するコントローラ３１（操作部）と、荷台２２の傾斜角度θを検知する荷台傾斜計４２と、荷台傾斜計４２で検知された荷台２２の傾斜角度θに基づいて、オペレータに警報を発報する角度表示警報装置３２（警報装置）と、を備えている。角度表示警報装置３２は、荷台２２の傾斜角度θの下限値をＴ１とし、荷台２２の傾斜角度θの上限値をＴ２とする場合で、かつ、Ｔ１＜θ＜Ｔ２の条件を満たさないときに、警報（音及び／又は画面）を発報する。
【００４８】
このような階段昇降台車１０は、荷台２２の傾斜角度θが下限値Ｔ１を下回る場合や、荷台２２の傾斜角度θが上限値Ｔ２を上回る場合に、警報（音及び／又は画面）を発報して、荷台２２の傾斜角度θが不適切であることをオペレータに通知する。これにより、オペレータは、警報（音及び／又は画面）が発報されたときにのみ、集中的に荷台２２の傾斜角度θの変更操作を行えばよい。その結果、オペレータは、昇降動作の開始から終了までの全期間を通して、荷台２２の傾斜角度θを自身の感覚で推し量りつつ、階段昇降台車１０の昇降操作と荷台２２の傾斜角度θの変更操作（例えば、図８に示す比較例の階段昇降台車での操作）を行わなくてもよくなる。そのため、階段昇降台車１０は、オペレータの負担を軽減することができる。
【００４９】
また、オペレータは、ハンドル３０を把持しながら警報（音及び／又は画面）を認識することができる。そのため、オペレータは、階段昇降台車がバランス（姿勢）を崩さないように、階段昇降台車１０を支持しながら荷台２２の傾斜角度θの変更操作することができる。これによっても、階段昇降台車１０は、オペレータの負担を軽減することができる。
【００５０】
なお、図８は、比較例の階段昇降台車での操作を示すフローチャートである。比較例の階段昇降台車は、荷台の傾斜角度θが適切であるのか否かをオペレータに認識させる手段を有しない台車であり、従来の階段昇降台車に相当する。図８に示すように、比較例の階段昇降台車では、昇降動作の開始から終了までの全期間を通して、オペレータは、オペレータ自身の感覚で荷台２２の傾斜角度θを推し量ることで、荷台２２の傾斜角度θを認識する（ステップＳ６０５）。そして、オペレータは、オペレータ自身の感覚で階段昇降台車が目的地（上側フロアの床面又は下側フロアの床面）に到着したか否かを判断する（ステップＳ６１０）。比較例の階段昇降台車では、昇降動作の開始から終了までの全期間を通して、オペレータがステップＳ６０５とステップＳ６１０とを繰り返し行う。そのため、比較例の階段昇降台車は、多大な負担をオペレータに強いる。これに対して、前記した通り、本実施形態に係る階段昇降台車１０は、オペレータがステップＳ６０５とステップＳ６１０とを行わなくてもよくなる。そのため、本実施形態に係る階段昇降台車１０は、オペレータの負担を軽減することができる。
【００５１】
（２）角度表示警報装置３２は、階段昇降台車１０が目的地に到達したときに、オペレータに到達通知（音及び／又は画面）を発報する。その際に、角度表示警報装置３２は、好ましくは、警報（音及び／又は画面）のパターンとは異なるパターンで到達通知（音及び／又は画面）を発報するとよい。これにより、角度表示警報装置３２は、階段昇降台車１０がどのような状況であるのかをオペレータに容易に認識させることができる。
【００５２】
（３）角度表示警報装置３２は、本体傾斜計４１で検知される台車本体２０の前後方向の傾斜角度（水平方向に対するクローラ２１の角度）に基づいて、階段昇降台車１０が目的地に到達したか否かを判定する。このような角度表示警報装置３２は、階段昇降台車１０が目的地に到達したときに、その情報を走行駆動部２３と角度変更部２４の操作にフィードバックすることができる。これにより、階段昇降台車１０は、荷物９９の重心が前後方向にほとんど移動しないように、バランス（姿勢）を安定させることができる。
【００５３】
以上の通り、本実施形態に係る階段昇降台車１０によれば、オペレータの負担を軽減することができる。
【００５４】
本発明は、前記した実施形態に限定されるものではなく、様々な変形例が含まれる。例えば、前記した実施形態は、本発明を分かり易く説明するために詳細に説明したものであり、必ずしも説明した全ての構成を備えるものに限定されるものではない。また、実施形態の構成の一部を他の構成に置き換えることが可能であり、また、実施形態の構成に他の構成を加えることも可能である。また、各構成の一部について、他の構成の追加・削除・置換をすることが可能である。
【００５５】
例えば、階段昇降台車１０は、図９に示すように変形することができる。図９は、変形例に係る階段昇降台車の斜視図である。図９に示す変形例では、階段昇降台車１０は、カメラ５１を備えている。カメラ５１は、荷台２２及び／又は角度変更部２４を撮影して、その撮影画像を角度表示警報装置３２に出力する。角度表示警報装置３２は、例えば、撮影画像をディスプレイ３３ａ（図１参照）に表示することで、オペレータに荷台２２の傾斜角度を容易に認識させることができる。その際に、オペレータは、ハンドル３０を把持しながらディスプレイ３３ａ（図１参照）を見ることができる。そのため、オペレータは、階段昇降台車がバランス（姿勢）を崩さないように、階段昇降台車を支持しながら荷台２２の傾斜角度を認識することができる。
【符号の説明】
【００５６】
１０    階段昇降台車
２０    台車本体
２１    クローラ（走行手段）
２２    荷台
２３    走行駆動部
２４    角度変更部
２５    本体制御部
３０    ハンドル
３１    コントローラ（操作部）
３１ａ    ジョイスティック
３２    角度表示警報装置（警報装置）
３３ａ    ディスプレイ（傾斜角度表示手段）
３３ｂ    スピーカ（発報手段）
３３ｃ    無線通信手段
４０    電源部
４１    本体傾斜計
４２    荷台傾斜計
５１    カメラ
９９    荷物
【図１】
2020001543.tif 000003
【図２】
2020001543.tif 000004
【図３】
2020001543.tif 000005
【図４】
2020001543.tif 000006
【図５】
2020001543.tif 000007
【図６】
2020001543.tif 000008
【図７】
2020001543.tif 000009
【図８】
2020001543.tif 000010
【図９】
2020001543.tif 000011